(57)【要約】【課題】待受けモードであるときに、受信放送を待受け画面上で視聴可能な携帯端末において、各種機能を操作するメインメニューを待受け画面上に表示する。【解決手段】待受けモード時に入出力制御部１４は、受信したテレビ放送の番組の画面をを表示部１５に表示する。また、テレビ番組が表示されている待受け画面上において、ユーザがキー操作部２１のキーを操作したとき、ユーザが各種機能を操作するためのメインメニュー画像を待受け画面上に重畳して表示する。【選択図】図１
2008270882.tif 000002
【特許請求の範囲】
【請求項１】
放送信号を受信する放送受信部と、
表示部と、
指示を与えるために外部から操作される操作部と、
前記操作部を介し与えられる前記指示を入力する制御部と、を備える携帯端末装置であって、
前記制御部は、
前記携帯端末装置のアイドル期間は、前記表示部の同一画面に、前記放送受信部が受信した前記放送信号に従う画像と、前記携帯端末装置の機能を操作するための機能一覧のメニュー画像とを同時に表示する、携帯端末装置。
【請求項２】
前記放送受信部は、
デジタルテレビ放送信号を受信するテレビ放送受信部と、番組情報が付加されたデジタルラジオ放送信号を受信するラジオ放送受信部とを含み、
前記放送信号に従う画像は、前記テレビ放送受信部が受信した前記デジタルテレビ放送信号に従うテレビ画像および前記ラジオ放送受信部が受信した前記デジタルラジオ放送信号に付加された前記番組情報に従う画像のうちの一方を指す、請求項１に記載の携帯端末装置。
【請求項３】
前記制御部は、前記メニュー画像を、前記放送信号に従う画像に重畳して表示する、請求項１または２に記載の携帯端末装置。
【請求項４】
前記制御部は、前記表示部に前記放送信号に従う画像を表示中に、前記操作部を介し前記指示を入力すると、前記メニュー画像を表示する、請求項１から３のいずれか１項に記載の携帯端末装置。
【請求項５】
前記制御部は、前記メニュー画像が表示されてから、前記操作部を介し前記指示を入力しない期間が一定期間継続すると、前記放送信号に従う画像に重畳された前記メニュー画像を前記表示部から消去する、請求項１から４のいずれか１項に記載の携帯端末装置。
【請求項６】
前記放送受信部により前記放送信号を受信可能であるか否かを検知する受信検知部をさらに備え、
前記制御部は、
前記アイドル期間において、前記受信検知部により前記受信不可能と検知されたとき、前記表示部の同一画面に、前記放送信号に従う画像に代替して所定画像を表示する、請求項１から５のいずれか１項に記載の携帯端末装置。
【請求項７】
前記所定画像の種類は、前記操作部を介し与えられる前記指示に従い変更される、請求項６に記載の携帯端末装置。
【請求項８】
前記制御部は、
前記アイドル期間において、前記受信検知部により前記受信不可能と検知される期間が所定期間継続したとき、前記表示部の同一画面に、前記放送信号に従う画像に代替して所定画像を表示する、請求項６または７に記載の携帯端末装置。
【請求項９】
放送信号を受信する放送受信部と、
表示部と、
指示を与えるために外部から操作される操作部と、
前記操作部を介し与えられる前記指示を入力する制御部と、を備える携帯端末装置を用いた表示制御方法であって、
前記制御部により、
前記携帯端末装置のアイドル期間を検出するステップと、
前記検出するステップにより検出された前記アイドル期間において、前記表示部の同一画面に、前記放送受信部が受信した前記放送信号に従う画像と、前記携帯端末装置の機能を操作するための機能一覧のメニュー画像とを同時に表示するステップとを備える、表示制御方法。
【請求項１０】
請求項９に記載の表示制御方法をコンピュータを用いて実行するための表示制御プログラム。
【請求項１１】
請求項９に記載の表示制御方法をコンピュータを用いて実行するための表示制御プログラムを記録したコンピュータ読取り可能な記録媒体。
【発明の詳細な説明】
【技術分野】
【０００１】
本発明は放送信号を受信可能な携帯端末装置であり、特に、待受け画面上で放送信号の番組画面を表示する携帯端末装置において、待ち受け画面上に各種機能を操作するためのメニュー画像を表示する携帯端末装置に関する。
【背景技術】
【０００２】
近年、いわゆる「ワンセグ」に代表されるように、携帯端末向けのテレビジョン放送が開始され、そのテレビジョン放送を受信可能な携帯端末も多く出荷されている。また、放送衛星を使ったラジオ放送が開始されたが、これに引き続いて地上波によるデジタルラジオ放送が計画され、すでに実用化試験放送が行われている。
【０００３】
しかし従来の携帯型電話機では、テレビジョン放送の視聴を行うための指示入力を外部から携帯型電話機に与えない限り、放送中の番組を知ることができなかった。すなわち、放送中の番組を知るためには、ユーザは逐一携帯型電話機に対して指示入力を与える必要があり、利便性に欠けていた。
【０００４】
これに対して、特許文献１は、携帯電話機が待ち受けモードであっても、携帯電話機で視聴可能なテレビ番組の内容を容易に知ることの可能な技術を開示している。具体的には、テレビジョン放送を受信可能な電子機器を使用する際、電子機器がアイドリング中であっても、ユーザは受信可能なテレビ番組の内容を容易に知ることができるようなテレビ番組告知の機能を提供している。
【０００５】
特許文献２は、テレビジョン放送や、データ放送などを受信できる携帯端末において、常に新しい多くのコンテンツを用いて、その都度ユーザが設定する手間もなく、待受け画面を自動で更新する技術を開示する。
【０００６】
また、サイクロイド型携帯電話では、サイクロイドさせるか（表示部の画面（液晶部分）を外部から操作して回転させるか）、または、テレビ（ＴＶ）起動ボタンの操作をすることにより、テレビジョン放送に従う画面を表示することができた（図１６（Ａ）と（Ｂ）参照）。
【０００７】
また、従来のクラムシェル型携帯電話では、テレビジョン放送信号に基づく画像を表示しようとする場合には、開いた状態にしても表示部には所定の待受け画面が表示されるにすぎず、テレビジョン放送に従う画面に切換えるには、テレビ起動ボタンを操作する必要があり操作性に優れない（図１７（Ａ）と（Ｂ）参照）。
【特許文献１】特開２００５−７９９２０号公報
【特許文献２】特開２００５−２７７８６７号公報
【発明の開示】
【発明が解決しようとする課題】
【０００８】
上述の特許文献による携帯端末装置、またその技術においては、ユーザは待受け画面でテレビを見ながら端末内の各種設定、ツールの利用、インターネットへの接続等、各種端末機能を利用することはできず、利用しようとすれば待受け画面に表示中のテレビジョン放送信号を用いたアプリケーションの機能の実行を一度中断しなければならない。
【０００９】
また、アプリケーションの機能の利用を終了した後に、再度テレビジョン放送信号に従う画面を視聴したい場合に、ユーザはもう一度、テレビ起動のための操作をしなければならない。
【００１０】
また、ユーザにとって、１つのアプリケーションの機能を利用中に、他の機能の利用に切換える場合において、表示中の情報を中断して、他の機能に係る情報に切換えることを不快に感じる場合があり、利用中の機能に係る情報の表示を中断することなく、他の機能に係る情報を表示して欲しいという要求があった。
【００１１】
本発明はこのような問題に鑑みてなされたものであって、テレビジョン放送信号に従う画面視聴を中断することなく、他の機能を起動するための情報の提示が可能な携帯端末装置を提供することである。
【課題を解決するための手段】
【００１２】
この発明のある局面に従うと、放送信号を受信する放送受信部と、表示部と、指示を与えるために外部から操作される操作部と、操作部を介し与えられる指示を入力する制御部と、を備える携帯端末装置において、制御部は、携帯端末装置のアイドル期間は、表示部の同一画面に、放送受信部が受信した放送信号に従う画像と、携帯端末装置の機能を操作するための機能一覧のメニュー画像とを同時に表示する。
【００１３】
好ましくは、放送受信部は、デジタルテレビ放送信号を受信するテレビ放送受信部と、番組情報が付加されたデジタルラジオ放送信号を受信するラジオ放送受信部とを含み、放送信号に従う画像は、テレビ放送受信部が受信したデジタルテレビ放送信号に従うテレビ画像およびラジオ放送受信部が受信したデジタルラジオ放送信号に付加された番組情報に従う画像のうちの一方を指す。
【００１４】
好ましくは、制御部は、メニュー画像を、放送信号に従う画像に重畳して表示する。
好ましくは、制御部は、表示部に放送信号に従う画像を表示中に、操作部を介し指示を入力すると、メニュー画像を表示する。
【００１５】
好ましくは、制御部は、メニュー画像が表示されてから、操作部を介し指示を入力しない期間が一定期間継続すると、放送信号に従う画像に重畳されたメニュー画像を表示部から消去する。
【００１６】
好ましくは、放送受信部により放送信号を受信可能であるか否かを検知する受信検知部をさらに備え、制御部は、アイドル期間において、受信検知部により受信不可能と検知されたとき、表示部の同一画面に、放送信号に従う画像に代替して所定画像を表示する。
【００１７】
好ましくは、所定画像の種類は、操作部を介し与えられる指示に従い変更される。
好ましくは、制御部は、アイドル期間において、受信検知部により受信不可能と検知される期間が所定期間継続したとき、表示部の同一画面に、放送信号に従う画像に代替して所定画像を表示する。
【００１８】
この発明の他の局面に従うと、放送信号を受信する放送受信部と、表示部と、指示を与えるために外部から操作される操作部と、操作部を介し与えられる指示を入力する制御部と、を備える携帯端末装置を用いた表示制御方法は、前記制御部により携帯端末装置のアイドル期間を検出するステップと、検出するステップにより検出されたアイドル期間において、表示部の同一画面に、放送受信部が受信した放送信号に従う画像と、携帯端末装置の機能を操作するための機能一覧のメニュー画像とを同時に表示するステップとを備える。
【００１９】
この発明のさらに他の局面に従うと、表示制御方法をコンピュータを用いて実行するための表示制御プログラム、または、表示制御プログラムを記録したコンピュータ読取り可能な記録媒体が提供される。
【発明の効果】
【００２０】
本発明によると、ユーザには放送信号による画像を視聴しながら携帯端末装置の機能を利用するためのメニュー画面が表示されるので、重要なシーンを見逃す心配もなく、なおかつメニュー画像を介して携帯端末装置の機能を操作することができる。また放送信号による画像を視聴しながらの操作なので、ユーザは視聴中の番組に関するコミュニケーションを、実際に視聴しながら行うことができる。
【発明を実施するための最良の形態】
【００２１】
以下、図面を参照して実施の形態について説明する。
本実施の形態では、受信した放送信号に基づく画像を待受け画面上で表示中に他の機能を起動するための情報を表示する場合に、受信放送信号に従う画像による後述の待受け画面の表示を中断することなく、その表示画面上に重畳して携帯端末装置の機能を操作するための機能一覧のメインメニュー画像を同時に表示する。メインメニュー画像の機能一覧からユーザは起動を所望する機能を選択的に指定すると、待受け画面を表示する後述の待受けモードから、指定された所望機能を実行するためのモードに移行する。
【００２２】
このことによって、ユーザに受信放送信号に従う画像の中断というような不快感を与えることなく、端末内の各種設定、ツールの利用、インターネットへの接続等の所望機能を利用可能にする技術を提供する。
【００２３】
本実施の形態に係る携帯端末装置によると、ユーザはテレビジョン放送信号に従う画面を視聴しながら他の機能を選択して起動するためのメニュー画像を利用することができ、重要なシーンを見逃す心配もなく、かつ携帯端末装置の他の機能を利用することができる。またテレビの映像を見ながらの操作なので、ユーザは視聴中の番組に関するコミュニケーションを継続して行うことができる。
【００２４】
以下の説明では、同一の部品および構成要素には同一の符号を付してある。それらの名称および機能も同じである。
【００２５】
以下の各実施の形態においては、本発明に係る携帯端末装置は携帯型電話機を例示するが、これに限定されず、ＰＤＡ（Personal Digital Assistants）やノート型コンピュータなどの携帯型情報端末装置であってもよい。これらの携帯型情報端末装置では、電源投入後の動作可能な状態にあるにもかかわらず稼動していないアイドルモード（遊休時間）では、画面にはスクリーンセーバによる所定画像（壁紙など）が表示される。したがって、アイドルモードでは、当該所定画面に代替してテレビジョン方法によるテレビ画像またはデジタルラジオ放送による画像が表示される。
【００２６】
本実施の形態に係る携帯電話は、デジタルテレビジョン放送信号受信機能およびデジタルラジオ放送信号受信機能付きの携帯電話であり、テレビモード、ラジオモード、アプリケーションモード（通話モード、ネットワークモード、カメラモードなど各種機能を実行するモード）、および待受けモードそれぞれを動作モードとして有する。待受けモードは上述のアイドルモードに対応する。
【００２７】
テレビモードは、テレビ視聴モードおよびテレビ録画モードを有する。テレビ視聴モードは、デジタルテレビジョン放送（以下、ＴＶ放送という）信号を受信し、受信した内容（テレビ番組）の映像および音声を出力するモードである。テレビ録画モードとは受信したテレビ番組の画像および音声を所定記憶領域に記録するモードである。
【００２８】
ラジオモードとは、デジタルラジオ放送（以下、ラジオ放送という）信号を受信し、受信した内容（ラジオ番組）の音声を出力するモードである。本実施の形態では、ラジオ放送信号に特別の情報が付加されているので、当該付加情報はラジオ番組の音声とともに画面に表示される。
【００２９】
通話モードは他の電話機との間で通話による通信を行うモードである。
ネットワークモードとは、携帯電話が接続可能な外部の通信ネットワーク（インターネット、イントラネットなど）を利用した情報の授受（電子メール交換など）を行なうモードである。
【００３０】
待受けモードとは、上述のモードのいずれにも該当しないモードであり、動作可能な状態にありながらも何らの機能も稼動していない状態をいい、ユーザによる積極的な指示入力（キー操作など）を受けていない状態（電源投入後の放置状態）を指す。待受けモードでは、他の電話機からの着信、電子メールの着信などの待受けが可能である。ユーザから指示入力を受付けたとき、待受けモードは終了（解消）して、受付けた指示入力に従う種類の機能を実行するためのアプリケーションモードに移行する。
【００３１】
ここで、待受け画面とは、待受けモードにおいて表示される画面である。具体的には、電源ＯＦＦ状態の携帯電話において、ユーザが電源キーを長押しすることで電源がＯＮされる。電源がＯＮされると、携帯電話はＴＶ放送信号の受信を開始する。そして電源ＯＮされた後に最初に表示される画面が待受け画面（ＴＶ放送信号を受信できたときはＴＶ放送信号に従う番組の画面）である。ユーザは待受け画面を表示しながらキー操作を行うことができる。その後、再び電源キーを長押しすれば携帯電話の電源は遮断されて、待受け画面も消去される。
【００３２】
また、本発明の対象となる携帯端末には、クラムシェル型、スライダー型などの様々な形態のものがある。クラムシェル型の携帯端末においては、クラムシェルを閉じたときは後述のサスペンド状態となり、開いたときにはサスペンドを終了し、待受け画面が表示される。すなわち、ＴＶ放送信号に従う画面が待受け画面として表示される。
【００３３】
図１には、本実施の形態に係る携帯電話１００のハードウェア構成が示される。図１を参照して携帯電話１００は、アンテナ１、２および３を備え、さらにＴＶ放送を受信するためのアンテナ２に接続されたデジタル放送受信部４、ＴＳ（transport stream）デコーダ５、ビデオデコーダ６およびオーディオデコーダ７、ラジオ放送を受信するためのアンテナ３に接続されたデジタルラジオ受信部８、音声データデコーダ部９、イコライザ１０および番組付加情報デコーダ部１１、および他のデータ（電子メール、通話など）を送受信するためのアンテナ１に接続されたデータ送受信部１６を備える。さらに、受信した音声信号を処理するための音声制御部１２、受信した画像（映像）信号を処理するための映像制御部１３、他の各部の入出力動作を制御する入出力制御部１４、受信した画像を含む各種データを表示するための表示部１５、携帯電話１００の動作を集中的に監視・制御するためのＣＰＵ（Central Processing Unit）１７、プログラム，画像、音声などの各種データを記憶するための記憶部１８、タイマ部１９、音声を出力するためのスピーカ２０、ユーザが所望する指示を与えるために操作するキー操作部２１、音声を入力するためのマイク２２、被写体を撮影した画像データを出力するカメラ２３、記録媒体２５が着脱自在に装着されて装着された記録媒体をアクセスしてデータの読書きをする外部Ｉ／Ｆ（インターフェイスの略）２４、開閉センサ６７および各部に電源を供給するバッテリー６８を備える。
【００３４】
デジタル放送受信部４およびデジタルラジオ受信部８には、入出力制御部１４により与えられる受信すべきチャンネルを指示する情報に基づき、チューニング動作を行ない、アンテナから出力された放送信号のうちから指示されたチャンネルに該当する信号を抽出して出力する。
【００３５】
なお、受信チャンネルを指示する情報は、記憶部１８に予め格納されており、テレビモードまたはラジオモードに移行すると、入出力制御部１４は記憶１８から当該情報を読出し、デジタル放送受信部４またはデジタルラジオ受信部８に与える。記憶部１８の受信チャンネルを指示する情報は、ユーザがキー操作部２１を操作してチャンネル設定指示を入力すると、ＣＰＵ１７は指示されたチャンネルの情報を入出力制御部１４に与えて更新するように指示する。入出力制御部１４は当該指示に応答して、記憶部１８のチャンネルの情報を、設定指示されたチャンネル情報に基づき更新する。このように、ＴＶ放送およびラジオ放送の受信チャンネルはユーザが所望するように切換えることができる。
【００３６】
番組付加情報デコーダ部１１は、アンテナ３およびデジタルラジオ受信部８を介して受信した番組のラジオ放送信号に付加された文字情報（以下、番組付加情報１１１という）を抽出して、抽出した番組付加情報１１１をデコードして、デコードされた番組付加情報１１１を入出力制御部１４と映像制御部１３に出力する。入出力制御部１４は与えられる番組付加情報１１１を入力してＣＰＵ１７の制御の元に記憶部１８に格納する。また、映像制御部１３は、与えられる番組付加情報１１１を入力して、入力した番組付加情報１１１に従う画像を生成する。生成された画像は、入出力制御部１４を介し表示部１５に表示される。
【００３７】
ＣＰＵ１７は、キー操作部２１のキー操作信号が指す与えられた指示、および開閉センサ６７の開閉検知信号を入力する。これら、入力した指示または信号に基づき、携帯電話１００の動作を制御する。
【００３８】
図２と図３には、携帯電話１００の概略機能構成が示される。図２を参照して、携帯電話１００は、アンテナ２と３、およびデジタル放送受信部４とデジタルラジオ受信部８に相当する放送波受信部３０、ＴＳデコーダ５、ビデオデコーダ６、オーディオデコーダ７音声データデコーダ部９およびイコライザ１０に相当するデコード部３１、アンテナ１およびデータ送受信部１６に相当の通信波送受信部３２、番組付加情報デコーダ部１１および入出力制御部１４に相当のデータ抽出部３３、入出力制御部１４に相当の制御部３５、入出力制御部１４が有するデコード可否判定部３４、記憶部１８、タイマ部１９、スピーカ２０および表示部１５を備える。
【００３９】
映像制御部１３は、ビデオデコーダ６から出力されたデコード信号を入力し、入力信号について色・輝度などを調整して出力する。
【００４０】
デコード部３１は、ＴＶ放送、ラジオ放送において、音声データ、又は映像データのデコードを行うものであり、すなわち伝送エラー防止処理、圧縮処理等に対応したデータエラーの復元処理、伸張処理等のデジタル演算処理を行い、本来のデータに復元するものであり、論理回路、デジタルシグナルプロセッサ等を含んで構成されている。記憶部１８には、受信可能な全デジタル放送の番組データと番組内容データ（音声データおよび映像データ）がデコード可能であるかを示すデコード可否情報と対応付けられて記憶されるようになっている。
【００４１】
デコード可否判定部３４は、放送信号を受信可能であるか否かを検知する。具体的にはデジタル放送に含まれている番組内容データをデコードできるか否かを判断する。すなわち、電波の受信状況が悪くて受信された番組内容データが欠落しているなどのためにデコード部３１でデコードできないときに、デコードできないと判断し受信不可能と検知する。デコード可否判定部３４がデコードできると判断した場合は受信可能と検知し、番組データとデコード可否情報として可能である旨の情報とを対応付けて、現在時刻と共に記憶部１８に記憶させる。デコードできないと判断した場合は、番組データとデコード可否情報として不可能である旨の情報とを対応付けて現在時刻と共に記憶部１８に記憶させる。このようにして、デコード可否判定部３４はＴＶ放送、ラジオ放送において受信した番組データの受信可否を判定する。
【００４２】
図３を参照して、携帯電話１００に与えられるデータと当該データの処理の概略的な流れを説明する。図３左端には、携帯電話１００に与えられるデータとして映像ストリーム４０、ラジオ放送信号によって与えられるデジタルラジオ用コンテンツ４１、字幕または文字スーパーデータ４２およびＢＭＬ（Broadcast Markup Language）コンテンツデータ４３、ならびにインターネットなどの放送によらない所定の通信網を介して与えられるサーバ内コンテンツデータ４４および通信コンテンツデータ４５を含む。
【００４３】
映像ストリーム４０は、テレビ局からＴＶ放送される番組に相当する映像データを構成するものであって、アンテナ１およびデジタル放送受信部４を介して受信される。受信された映像ストリーム４０は、ＴＳデコーダ５およびビデオデコーダ６およびオーディオデコーダ７からなるデコード部３１によりデコード処理されてアナログの動画データ４６として出力される。動画データ４６は、入出力制御部１４に与えられて、入出力制御部１４により動画データ４６に基づく画像が表示部１５に表示される。
【００４４】
データ抽出部３３は、番組付加情報抽出部６０、文字または文字スーパデコーダ６１、ＢＭＬブラウザ６２および通信ブラウザ６３を含む。番組付加情報抽出部６０は、与えられるデジタルラジオ用コンテンツ４１を入力し、入力したデジタルラジオ用コンテンツ４１から、そこに付加されている番組に関連する文字情報４８を抽出して出力する。抽出された文字情報４８は、制御部３５により記憶部１８の所定領域に格納される。文字または文字スーパデコーダ６１は、与えられる字幕または文字スーパデータ４２を入力して、入力した字幕または文字スーパデータ４２をデコード処理し、処理結果得られた字幕または文字スーパデータ４９を出力する。出力された字幕または文字スーパデータ４９は制御部３５により記憶部１８の所定領域に格納される。ＢＭＬブラウザ６２は、与えられるＢＭＬコンテンツデータ４３を入力し、入力したＢＭＬコンテンツデータ４３をブラウジング処理し、処理結果得られたＢＭＬコンテンツデータ５０を出力する。出力されたＢＭＬコンテンツデータ５０は制御部３５により記憶部１８の所定領域に格納される。与えられるサーバ内コンテンツデータ４４は、制御部３５により入力されて、入力したサーバ内コンテンツデータ４４は記憶部１８にサーバ内コンテンツデータ５１として格納される。通信ブラウザ６３は与えられる通信コンテンツデータ４５を入力し、入力した通信コンテンツデータ４５をブラウジング処理し、処理結果得られた通信データ５２を出力する。制御部３５は通信データ５２を入力して、記憶部１８の所定領域に格納する。
【００４５】
記憶部１８には、さらに、データ送受信部１６を介して外部から受信したデータ、記録媒体２５などを介して外部から供給されるデータ、テレビ録画モードによるＴＶ番組の録画データ、カメラ２３の撮影により入力した画像データなどを記憶する外部記憶データ５３、および携帯電話１００を制御するためのプログラムおよびデータ、メニュー画像の為のデータなどを指す端末内部データ５４が格納される。記憶部１８に格納されたデータは、制御部３５によって読出されて、表示部１５に表示される。
【００４６】
図４には、本実施の形態に係る携帯電話１００の外観が示される。携帯電話１００は、いわゆるクラムシェル型の形態を有する。
【００４７】
図４には、携帯電話１００の外観が、筐体どうしの開閉状態と関連して示されている。図示されるように携帯電話１００は２つの筐体からなり、キー操作部２１を有する一方の筐体である下側ユニット１０１、表示部１５に対応のＬＣＤ６４を有する他方の筐体である上側ユニット１０２、下側ユニット１０１と上側ユニット１０２を回動自在に結合するための接合部材（ヒンジ部）から構成される。接合部材は、図中のＸ軸方向に並行して設けられたヒンジ１０５ａを含む。
【００４８】
下側ユニット１０１および上側ユニット１０２は所定厚みで略同じ大きさの扁平な長方形状（略直方体形状）を有しており接合部のヒンジ１０５ａを介して機構的に結合され、上側ユニット１０２がヒンジ１０５ａを中心にして下側ユニット１０１に対して回動自在な構造となっている。また、下側ユニット１０１および上側ユニット１０２は、ヒンジ１０５ａの部分を経由して適宜の接続のための配線によって電気的に接続されている。
【００４９】
下側ユニット１０１の片面（操作面）には携帯電話１００の有する機能を利用するために複数のキーを有するキー操作部２１が配設される。さらに同じ操作面の端部には、マイク２２のための開口部が設けられている。
【００５０】
上側ユニット１０２の片面（表示面）には略矩形をした表示部１５のＬＣＤ６４の画面が縦長に配設されている。表示面の背面にはカメラ２３のレンズ部２８と、スピーカ２０が配設される。また、表示面の端部にも、スピーカ２０が配設される。
【００５１】
下側ユニット１０１に対して上側ユニット１０２は、矢印１２３方向に従い回転するヒンジ１０５ａを介して開閉自在である。図４（Ｂ）は図４（Ａ）の状態から上側ユニット１０２をヒンジ１０５ａを介してα度だけ下側ユニット１０１方向に閉じた状態（折畳まれた状態ともいう）を指す。図４（Ｂ）の閉じた状態では、上側ユニット１０２の表示面は下側ユニット１０１の操作面と向合わせになっている。図４（Ｂ）の状態から、上側ユニット１０２を下側ユニット１０１に対して開く操作をすることで、たとえば、図４（Ａ）のように開いた状態となる。開いた状態とは、図４（Ｂ）の折り畳まれた状態以外の状態を指す。
【００５２】
キー操作部２１は図４（Ａ）に示されるように、携帯電話１００を上述のいずれかの動作モードに切換えるために操作されるモードキー３５、携帯電話１００の電源のＯＮ／ＯＦＦを指示するために操作される電源キー３６、発信を指示するために操作される発信キー３７、各種指示を決定するための決定キー３８、ＬＣＤ６４に表示されるカーソル操作を行なうための上下左右キー３９、カメラ２３を用いた撮影を指示するために操作される撮影キー４０、直前の指示を取り消すために操作されるクリアキー４１を有する。さらに、キー操作部２１は、英字／かな／漢字／数字／♯、※を入力するためのキー、操作を終了させるための終了キー、などを含む。
【００５３】
携帯電話１００は、下側ユニット１０１と上側ユニット１０２がヒンジ１０５ａを介して開閉操作されることにより、開いた状態および閉じた状態のいずれかの状態をとることができる。本実施の形態では、上側ユニット１０２がヒンジ１０５ａを介して回動することによる上側ユニット１０２と下側ユニット１０１とが為す角度αが示す開閉角度を検出するために、上側ユニット１０２に設けられたマグネット（永久磁石）２９およびマグネット２９からの磁気を検出するための下側ユニット１０１に磁気センサ３２を備える。
【００５４】
マグネット２９および磁気センサ３２により開閉センサ６７が構成される。磁気センサ３２はマグネット２９の磁気レベルを検出して、検出した磁気レベルに応じたレベルの電圧信号を出力する。出力された電圧信号は入出力制御部１４を介してＣＰＵ１７に与えられる。
【００５５】
ＣＰＵ１７は、磁気センサ３２から与えられる電圧信号のレベルに基づき、ヒンジ１０５ａを介した開閉角度を検出する。開閉角度の検出では、磁気センサ３２から与えられた電圧信号が示す電圧レベルに基づき、所定の計算式に従い開閉角度を算出する。または、予め準備された磁気センサ３２の出力する電圧信号のレベルと開閉角度とが関連付けされて登録されたテーブルを有し、当該テーブルを、磁気センサ３２から与えられた電圧信号が示す電圧レベルに基づき検索することで、関連付けされた開閉角度を読出す。
【００５６】
検出された開閉角度が角度α以上を指すとき開いた状態であると検出し、角度α未満であると閉じた状態であると検出する。
【００５７】
図示しないが、記憶部１８には開閉フラグデータが格納される。なお、電源ＯＮされたときには、ＣＰＵ１７は開閉フラグデータに‘開状態’の値を初期設定する。その後は、ＣＰＵ１７は検知した開／閉状態の別を開閉フラグデータに設定し開閉フラグデータの値を更新する。具体的には、開閉センサ６７の検知信号に基づき検出した開／閉状態と、記憶部１８の開閉フラグデータの値とを比較し、比較結果が一致を指すと状態は変化していないので開閉フラグデータを更新しない。一方、不一致を指すと状態が変化している（状態が遷移している）と検知されるので開閉フラグデータを今回検出した状態を指すように更新する。したがって、開閉フラグデータの値を参照することにより、携帯電話１００の開状態と閉状態の間の遷移を検出することができる。
【００５８】
（実施の形態１）
図５（Ａ）と（Ｂ）には、実施の形態１に係る待受けテレビ画面の表示の一例が示される。本実施の形態では、携帯電話１００を操作して閉じた状態から開いた状態に変化させたとき、何らキー操作をせずとも表示部１５にテレビ画面が表示される（図５（Ａ）参照）。ここで、テレビ画面とは、ＴＶ放送信号に基づく画像（映像）を表示する画面を指す。
【００５９】
携帯電話１００は電源キー３６の長押しにより電源投入された後は、特別な指示が入力されないと待受けモードに移行するので、閉じた状態であっても、アンテナ２およびデジタル放送受信部４を介して予め指定されたチャンネル（放送局）の放送信号を受信するためのチューニング動作およびＴＳデコーダ５およびビデオデコーダ６を用いたデコードを継続して行なう。したがって、デコード結果の信号は映像制御部１３を介して入出力制御部１４に与えられるけれども、入出力制御部１４はＣＰＵ１７の指示に従いテレビモードであっても閉じた状態では、映像制御部１３から出力されたデータを入力しない。したがって、表示部１５には待受け画面（テレビ画面）は表示されない。
【００６０】
その後、開いた状態になったことが開閉センサ６７を介して検知されると、ＣＰＵ１７は入出力制御部１４に、映像制御部１３からの出力データを入力するように指示する。これにより、入出力制御部１４は、映像制御部１３からの出力データを入力して、表示部１５に入力データに基づくテレビ画面（待受け画面）を表示する。したがって、待受けモードであれば携帯電話１００を閉じた状態であってもテレビ放送を受信するチューニング動作およびデコード操作を行なっているので、開いた状態に遷移すれば、すぐに表示部１５にテレビ画面を表示することができる。
【００６１】
このようにして待受け画面として受信中のＴＶ放送によるテレビ画面が表示されているとき、ユーザが他のアプリケーション機能を起動させるためにキー操作部２１の所定キー（たとえば決定キー３８）を操作すると、メインメニュー画像がテレビ画面に重畳して表示される（図５（Ｂ）参照）。携帯電話１００の各機能を示すアイコンの一覧からなるメインメニュー画像のための画像データは端末内部データ４５により指示されて、入出力制御部１４により記憶部１８から当該画像データが読出されて、テレビ画面に重畳してメインメニュー画像として表示される（図５（Ｂ）参照）。
【００６２】
ここでは、操作される上述の所定キーを、決定キー３８としているがこれに限定されず、たとえば上下左右キー３９の上キーであってもよい。
【００６３】
また、待受け画面であるテレビ画面に重畳してメインメニュー画像を表示中は、次のようなキー操作を可能とするようにしてもよい。たとえば、メニュー項目を選択するために、上下左右キー３９の操作により表示部１５のカーソル移動を可能とするようにしてもよい。また、決定キー３８が操作されるとアイコンの選択を決定できてもよい。
【００６４】
なお、待受けのテレビ画面に重畳して表示される画像はメインメニュー画像に限定されず、たとえば、数字キーが操作されたときは電話番号入力用の画面が重畳して表示されてよい。また、左右キーが操作されたときは受信するべきテレビ番組の放送局が選局されてよい。また、テレビ画面に関連した表示のためのキー操作の有効／無効をユーザがキー操作部２１を介して予め設定できるようにしてもよい。
【００６５】
さらには、図５（Ｂ）のように、テレビ画面に重畳してメインメニュー画像が表示されている状態において、ユーザがキー操作部２１の電源キー３６を操作すると、メインメニュー画像は消去して図５（Ａ）のテレビ画面のみに切換えられる。
【００６６】
具体的にはＣＰＵ１７はキー操作部２１からのキー操作信号を入出力制御部１４を介して入力し、図５（Ｂ）の表示状態において電源キー３６が操作されたことを検知すると、入出力制御部１４をメインメニュー画像のみを消去するように制御する。これにより、図５（Ｂ）の画面から、図５（Ａ）のテレビ画面のみの表示に切換えがされる。
【００６７】
図５（Ａ）と（Ｂ）の画面においては、決定キー３８の操作に応答してテレビ画面に重畳して表示される画像は、携帯電話１００のメインメニュー画像であるとしたが、これに限定されず、次のようなものであってもよい。たとえば、記憶部１８から読出した任意のショートカットデータ、広告データ、データ送受信部１６を介しWEBAPI（World Wide Web Application Program Interface）を利用して取得したオークションのデータ、または事前に記憶部１８に格納しておいた友人のプレゼンス情報、ＲＳＳ（Rich Site Summary）情報、カレンダー、株価情報などに基づく画像であってよい。また、この表示部１５に表示されるアイコンは、外部のサーバからダウンロードしたコンテンツによってカスタマイズ可能とされてもよい。
【００６８】
また、テレビ画面に重畳して表示される上述の各種コンテンツに従う画像は、決定キー３８の操作に応じて表示開始された後は、入出力制御部１４はタイマ部１９の計時データに基づき所定の時間が経過したら自動的に消去するようにしてもよい。また、テレビ画面上において１つの共通アイコンと当該共通アイコンから派生した複数の個別アイコンとが重畳して表示される場合には（図６（Ａ）参照）、これらアイコンの表示開始から所定時間が経過すると複数の個別アイコンは消去されて、共通のアイコンのみが表示され、その後、さらに所定時間が経てば共通アイコンも完全に消えるという表示方法であってもよい。
【００６９】
また、重畳して表示されるコンテンツは、テレビ放送による映像とＢＭＬなどの文字情報とが同時に表示されているテレビ画面に重畳して表示されるとしてもよい（図６（Ｂ）参照）。
【００７０】
図６（Ｂ）は、ＢＭＬの文字情報上にメインメニューが重畳して表示されている様子が示されている。このように、重畳して表示されるコンテンツは、テレビ放送による映像とＢＭＬなどの文字情報とが同時に表示されているテレビ画面において、その文字情報上に重畳して表示されるとしてもよい。
【００７１】
または、カメラ機能、ミュージックプレーヤ機能の利用時などＡＶ（Audio Visual）機能のアプリケーション機能を起動してアプリケーションモードに移行する場合など、テレビ画面を表示部１５に同時表示する必要のない場合には、入出力制御部１４は待受け画面であるテレビ画面を消去して、当該ＡＶ機能を利用するための情報、たとえばカメラ２３で撮影中の画像を表示するようにしてもよい。カメラ２３の撮影終了時（アプリケーションモード終了時）には、待受けモードに移行して元のテレビ画面が表示される。具体的には、表示部１５にテレビ画面が表示されるときは、入出力制御部１４は映像制御部１３からの出力データを入力して、当該データに基づく画像を表示部１５に表示する。このテレビ画面を表示中において、キー操作部２１の撮影キー４０が操作されると、ＣＰＵ１７はキー操作部２１からの操作信号に基づき当該撮影キー４０の操作されたことを検知し、応じて入出力制御部１４にカメラ２３から出力される撮影された画像データを入力するように指示する。入出力制御部１４はこの指示を入力すると、この指示に基づき、入力データを映像制御部１３からの出力データからカメラ２３からの出力データに切換える。その後、カメラ２３から入力の画像データに基づく画像（被写体像）を表示部１５に表示する。これにより、表示部１５の画面はテレビ画面から、撮影中の被写体画像の表示画面に切換えられる。
【００７２】
待受け画面をテレビ画面にするか、壁紙表示のような従来の待受け画面にするかを、ユーザがキー操作部１２を操作して切換えるようにしてもよい。
【００７３】
また、待ち受け画面の設定状況によって、キー操作が変更できてもよい。
仮にユーザが待ち受け画面を壁紙表示のような従来の待ち受け画面に設定した場合、前述した本発明における待ち受けがテレビ画面の時のキー操作ではなく、従来の携帯電話のようなキー操作に変更されてもよい。
【００７４】
（他の待受け画面の表示例）
上述の待受け画面はテレビ画面であったがラジオ画面であってもよい。図７（Ａ）と（Ｂ）には、本実施の形態における待受け画面のためのラジオ画面が示される。ここで、ラジオ画面とは、ラジオ放送の番組付加情報１１１に基づく画像を表示する画面を指す。
【００７５】
図７（Ａ）は、表示部１５に待受け画面としてラジオ画面が表示されている状態を指す。図７（Ａ）のラジオ画面を表示中において、ユーザがキー操作部２１の決定キー３８を操作すると、図５（Ｂ）と同様にラジオ画面に重畳して携帯電話１００のメインメニュー画像が表示される（図７（Ｂ）参照）。
【００７６】
（開閉状態に応じた処理の手順）
図８（Ａ）と（Ｂ）には、第１の実施の形態に係る処理フローチャートが示される。クラムシェル型の携帯電話１００が閉じた状態では図８（Ａ）の処理動作が繰返される。閉じた状態から開いた状態に切換わると、図８（Ａ）の処理は強制的に終了して図８（Ｂ）の処理が開始される。
【００７７】
図８（Ａ）の処理フローは、携帯電話１００の電源が投入されている状態において、閉じた状態にあると検知される期間は、デジタル放送受信部４によりＴＶ放送を受信して、ＴＳデコーダ５に出力する（ステップＳ３）。ここで、閉じた状態である期間は、ＣＰＵ１７の制御の元に、入出力制御部１４は、音声制御部１２および映像制御部１３を、オーディオデコーダ７およびビデオデコーダ６からのデータを入力しないように制御する（ステップＳ５）。したがって、音声制御部１２および映像制御部１３からデータは出力されないので、表示部１５およびスピーカ２０にはＴＶ放送信号による画像も音声も出力されない。
【００７８】
このように、閉じた状態では、ＴＶ放送信号は受信されつつあるけれども、テレビ画面と音声は出力されない。
【００７９】
なお、閉じた状態において、ＣＰＵ１７は、閉じた状態において行なうべき所定の処理、メールや通話の着信のための処理などを行なっている。したがって、クラムシェル型の携帯電話１００は閉じた状態にあっても、ＴＶ放送波の受信とともに、アンテナ１よびデータ送受信部１６を介して電子メールや通話の着信の有無または送信要求の有無を検知する状態にある。ここでは、説明を簡単にするために、これらの機能の詳細は略する。
【００８０】
開閉センサ６７の検知結果に基づき、ＣＰＵ１７が携帯電話１００が開いた状態に切換えられたことを検知すると、図８（Ｂ）の処理を開始する。
【００８１】
まず、ＣＰＵ１７の制御の元に、入出力制御部１４は、音声制御部１２および映像制御部１３を、オーディオデコーダ７およびビデオデコーダ６からのデータを入力するように制御する（ステップＳ５）。したがって、音声制御部１２および映像制御部１３からはＴＶ放送信号に基づく番組の画像データおよび音声データが出力されるので、表示部１５およびスピーカ２０にはテレビ画面とＴＶ放送の音声が出力される（ステップＳ７）。
【００８２】
待受け画面としてテレビ画面が表示されている状態において、ＣＰＵ１７は、キー操作部２１から入力する操作信号に基づき、ユーザにより何らかのキーが操作されたか否かと、操作されたキーは電源キー３６であるかを検知する（ステップＳ９とＳ１１）。キー操作されない、またはキー操作されたが電源キー３６の操作であると検知される間は（ステップＳ９でＮＯ、ステップＳ１１でＹＥＳ）、処理はステップＳ７に戻り、ステップＳ７７〜Ｓ９の処理が繰返される。
【００８３】
一方、ＣＰＵ１７は、入力操作されたキーの種別が電源キー３６ではない、他のキーが操作されたと検知すると（ステップＳ１１でＮＯ）、ＣＰＵ１７は、入出力制御部１４を、表示部１５の待受け画面（テレビ画面）上に携帯電話１００のメインメニュー画像を重ねて表示させるよう制御する（ステップＳ１３）。
【００８４】
その後、ＣＰＵ１７は、キー操作部１２からの入力する操作信号に基づき、何らかのキー操作がされたか否かを検知する（ステップＳ１５）。キー操作されないと検知される間は、ＣＰＵ１７は、いわゆる待ち状態にあり、ステップＳ１３による待受け画面としてのテレビ画面の表示が継続する。
【００８５】
一方、何らかのキー操作があったと検知されると（ステップＳ１５でＹＥＳ）、ＣＰＵ１７は、操作キーは電源キー３６であるか否かを検知する（ステップＳ１７）。電源キー３６が操作されたと検知されると（ステップＳ１７でＹＥＳ）、処理はステップＳ２０に移行する。
【００８６】
ステップＳ２０では、ＣＰＵ１７は入出力制御部１４を制御して、表示部１５のテレビ画面に表示されていたメインメニュー画像を消去する。その後、処理はステップＳ７に戻る。
【００８７】
一方、操作されたキーは電源キー３６以外のキーであると検知されると（ステップＳ１７でＮＯ）、ＣＰＵ１７は操作されたキーの操作信号に従うアプリケーション処理を開始するために、このアプリケーション処理のプログラムを、入出力制御部１４を介して記憶部１８から読出し、読出したプログラムを実行する（ステップＳ１９）。これにより、携帯電話１００では、ユーザが指定したアプリケーション処理が開始される。
【００８８】
たとえば、ユーザは、テレビ画面に重畳表示されていたメインメニュー画像からキー操作により所望の機能を選択的に指定できるので、キー操作して指定された機能が実行される。
【００８９】
なお、ここでは待受け画面はテレビ画面としているが、前述したラジオ画面であってもよい。その場合の動作は次のようである。
【００９０】
まず、携帯電話１００が閉じた状態では、ＴＶ放送信号の受信ではなく、アンテナ３およびデジタルラジオ受信部８を介したラジオ放送信号の受信が行なわれる。そして受信したラジオ放送信号が音声データデコーダ部９および番組付加情報デコーダ部１１に出力される（ステップＳ３）。ここで、閉じた状態である期間は、ＣＰＵ１７の制御の元に、入出力制御部１４は、音声制御部１２および映像制御部１３を、イコライザ１０および番組付加情報デコーダ部１１からのデータを入力しないように制御する（ステップＳ５）。したがって、音声制御部１２および映像制御部１３からデータは出力されないので、表示部１５およびスピーカ２０にはラジオ放送信号に従う番組付加情報１１１による画像もラジオ音声も出力されない。
【００９１】
このように、閉じた状態では、ラジオ放送信号について受信されつつ（チューニングおよびデコードがされつつ）あるけれども、ラジオ画面とラジオ音声は出力されない。
【００９２】
そして、開閉センサ６７の検知結果に基づき、ＣＰＵ１７が携帯電話１００が開いた状態に切換えられたことを検知すると、ＣＰＵ１７の制御の元に、入出力制御部１４は、音声制御部１２および映像制御部１３を、イコライザ１０および番組付加情報デコーダ部１１からのデータを入力するように制御する（ステップＳ７）。したがって、音声制御部１２および映像制御部１３からはラジオ放送信号の番組付加情報１１１およびラジオ音声データが出力されるので、表示部１５およびスピーカ２０にはラジオ画面とラジオ音声が出力される（ステップＳ７）。
【００９３】
以降の処理は、待受け画面としてＴＶ画面を表示する場合と同様であるので説明は省略する。
【００９４】
（タイマ機能を用いた待受け画面に関する表示処理）
次に、待受け画面に重畳して表示されているメインメニュー画像が、時間の経過に従い待受け画面上から消去される手順を図９のフローチャートを参照し説明する。
【００９５】
図９の処理は、図８（Ｂ）の処理の一部を変更したものである。図９では、図８（Ｂ）と同様にステップＳ７〜Ｓ２０の処理が行なわれる。ステップＳ１３において待受け画面上にメインメニュー画像を重ねて表示されるが、表示後、所定時間が経過するとメインメニュー画像は消去する。そのために、図８（Ｂ）の処理とは次の点を変更している。
【００９６】
ＣＰＵ１７は、ステップＳ１３ａにおいてメインメニュー画像を表示すると、タイマ部１９によって時間を計時開始する。ＣＰＵ１７は何らかのキー操作がされたかを検知する（ステップＳ１５）。キー操作を検知しないと（ステップＳ１５でＮＯ）、ＣＰＵ１７は記憶部１８に予め格納された所定時間を指すデータを読出し、読出した所定時間データとタイマ部１９から入力する計時データを比較する。比較結果に基づき計時データ＞所定時間データであると検知すると（ステップＳ１５ａでＹＥＳ）、ステップＳ２０において、待受け画面（テレビ画面またはラジオ画面）に重畳して表示されていたメインメニュー画像を、入出力制御部１４により消去させる。これにより、表示部１５には待受け画面のみが表示される。
【００９７】
一方、比較結果に基づき計時データ≦所定時間データであると検知すると（ステップＳ１５ａでＮＯ）、処理はステップＳ１５に戻り、待受け画面にメインメニュー画像が重畳して表示される状態が継続する。
【００９８】
また、メインメニュー画像を表示開始してから所定時間内に何らかのキー操作がされたと検知されると（ステップＳ１５でＹＥＳ）、ステップＳ１７以降の処理が前述と同様に行なわれる。
【００９９】
このように、待受け画面上にメインメニュー画像を重畳表示してから所定時間内に何らのキー操作もされない時には、待受け画面であるテレビ画面またはラジオ画面に重畳されている画像を消去して、テレビ画面またはラジオ画面による視聴画像（映像）を確認しやすいようにしている。
【０１００】
（サスペンド処理について）
本実施の形態に係るクラムシェル型の携帯電話１００は、閉じた状態では表示部１５は筐体内部に位置し外部から隠されるためにユーザは画像を見ることはできない。したがって閉じた状態では、待受け画面（テレビ画面またはラジオ画面）を表示する必要はない。そこで、本実施の形態では、電源ＯＮされた後の電源ＯＦＦされるまでの期間における閉じた状態では、携帯電話１００は消費電力を抑える動作モード（いわゆるサスペンド（suspend）モードをいう）に移行する。
【０１０１】
図１０のフローチャートを参照して本実施の形態によるサスペンドモードについて説明する。ここでは、予め携帯電話１００は電源ＯＮされた開いた状態にあり表示部１５には待受け画面としてテレビ画面と、それに重畳してメインメニュー画像が表示されていると想定する。その後、開いた状態をユーザが操作して閉じた状態に変化させた場合は、開閉センサ６７の検知信号に基づきＣＰＵ１７は開いた状態から閉じた状態に遷移したことを検知する。この状態遷移を検知したことに応じて、ＣＰＵ１７は図１０のフローチャートに従う処理を開始する。
【０１０２】
まず、ＣＰＵ１７は、入出力制御部１４にサスペンドモードに移行するように指示を出力する（ステップＳ４１）。入出力制御部１４は当該指示を入力すると、応じて、表示部１５に表示されていたメインメニュー画像を消去し、続いて表示されていた待受け画面を消去する（ステップＳ４３）。その後、携帯電話１００をサスペンド状態に設定する。
【０１０３】
具体的には、入出力制御部１４は表示部１５に対する、電源回路６８から供給される電力をＯＦＦ（遮断）する（ステップＳ４７）。これにより、本実施の形態に係るサスペンドモードが実現される。
【０１０４】
このようにサスペンドモードにおいては、表示部１５に供給する電力を遮断するので、その分、携帯電話１００における電力消費量を削減できる。
【０１０５】
サスペンドモードにおいては、ＴＶ放送およびラジオ放送による音声信号を受信して、それをスピーカ２０から出力するための回路には電力の供給を行なうようにして、携帯電話１００を閉じた状態で携帯している場合であっても、またはテーブル上に置いた状態でも、ユーザはＴＶ放送またはラジオ放送による音声をスピーカ２０から聴くことができるようにしてもよい。
【０１０６】
ＣＰＵ１７はサスペンドモードに移行した後は、キー操作部２１を介したキー操作によってサスペンドモードの解除指示が与えられるか否かを検知する（ステップＳ４９）。解除指示が与えられない期間は（ステップＳ４９でＮＯ）、サスペンドモードが継続する。
【０１０７】
サスペンドモードの解除指示は、ユーザが携帯電話１００を操作して開いた状態に切換えたことの検知信号に相当する。つまり、ＣＰＵ１７は、サスペンドモードにおいて、閉状態から開状態に遷移したのを検出したことに応じて、サスペンドモード終了を検知する（ステップＳ４９でＹＥＳ）。
【０１０８】
ＣＰＵ１７はサスペンドモード終了を検知すると、入出力制御部１４にサスペンドモード終了の指示信号を与えるので、入出力制御部１４は当該指示信号を入力したことに応じて、電源供給を遮断していた表示部１５への電源供給を再開する（ステップＳ５１）。これにより、入出力制御部１４は、映像制御部１３から与えられる映像データを入力して、入力した映像データに基づくテレビ画面を表示部１５に待受け画面として表示する（ステップＳ５３）。
【０１０９】
なお、記憶部１８の内容は、サスペンド中も失われないと想定する。
（実施の形態２）
本実施の形態では、放送信号の受信状況に応じて、表示部１５の待受け画面を切換える。
【０１１０】
携帯電話１００では、常に、放送信号を正常に受信できるとは限らない。たとえば、携帯電話１００を携帯するユーザの移動によって、受信状況が悪くなったとき、または受信できるとしても、受信信号に何らかのノイズが混入して画面にノイズがでたり、映像が途切れたりして通常の再生ができないケースも想定される。また、デジタルテレビ放送信号の受信開始直後や、選局中（デコード中）は、何らの放送信号も受信することができないので、表示部１５には何ら画像は表示されずに黒い画面が表示されたままで、しばらく待機状態におかれる場合がある。
【０１１１】
正常にＴＶ放送信号を受信できる状態では、たとえば、図１１（Ａ）のように、表示部１５にはテレビ放送による番組の待受け画面が表示される。画面の下段には、受信中のＴＶ放送の放送局を識別する情報１５１と、受信中のチャンネルを識別する情報１５２および受信中の番組のタイトルを指す情報１５３が表示される。情報１５１〜１５３は、次のように表示される。つまり、受信するＴＶ放送信号に重畳して送信されるＥＰＧ（Electronic Program Guide）情報をビデオデコーダ６により抽出して入出力制御部１４に出力し、入出力制御部１４は与えられるＥＰＧ情報に従う画像を表示部１５に表示することにより情報１５１〜１５３が待受け画面であるＴＶ画面に表示される。
【０１１２】
その後、ユーザが携帯電話１００を携帯して、デジタルテレビ放送信号を全く受信できない、または受信できるがデコード（復号）するのに十分な信号（情報量）を受信できない場所にまで移動すると、ＴＳデコーダ５またはビデオデコーダ６はデコード処理が不可能であることに応じて信号を出力しないので、入出力制御部１４は、表示部１５に待受け画面を更新表示することができない。この場合には、表示部１５の画面では、番組の画像は消えて、入出力制御部１４は、テレビ画面に替えてチューニング中であることを報知する所定画像を表示する。従来の携帯電話では、このときは図１１（Ｂ）のように、チューニング中のメッセージ１５４を含む黒い画像が表示されていたが、本実施の形態では、チューニング中のメッセージ１５４を含むユーザを楽しませる画像が表示される。
【０１１３】
チューニング中の報知画面としては、たとえば図１２（Ｂ）に示す画像であってもよい。図１２（Ａ）のテレビ画面から切換えられるチューニング中の報知画面（図１２（Ｂ））は、入出力制御部１４が、記憶部１８から読出した画像データ（撮影した写真の画像データ）を読出し、読出した画像データに基づく画像を指す。また、このとき入出力制御部１４は、表示部１５にはチューニング中であることを示すメッセージ１５４（“PLEASE WAIT…”）も表示する。
【０１１４】
このように、電波の受信状況が悪いなど放送信号のデコード（チューニング）に時間を要するときには、表示部１５の画面は、自動的にテレビ画面またはラジオ画面以外の画像を表示するチューニング中の報知画面に切換わるが、チューニング中の報知画面のための画像は次のようなものであってもよい。
【０１１５】
切換えられる画像の他の例としては、ラジオ画面またはテレビ画面であってもよい。つまり、待受け画面としてテレビ画面を表示中にはラジオ放送信号は受信可能であれば、それを受信して、番組付加情報１１１に基づくラジオ画面を、チューニング中の報知画面として表示するようにしてもよい。逆に、待受け画面としてラジオ画面を表示中にはＴＶ放送信号は受信可能であれば、それを受信して、テレビ画面を、チューニング中の報知画面として表示するようにしてもよい。
【０１１６】
また、壁紙であってもよく、この壁紙のデータは、記憶部１８に予め格納されているので、入出力制御部１４は、これを読出して表示してもよいし、外部Ｉ／Ｆ２４を介しメモリカードのような外部メモリから取得して表示してもよい。
【０１１７】
または、事前にテレビ録画モードにおいて録画したビデオデータを記憶部１８から読出し、これを再生して表示部１５に表示しもよい。サーバ内コンテンツデータ４４を読出し、これに基づく画像を表示してもよい。または、ＥＰＧ情報から取得した番組情報を予め記憶部１８に格納しておき、これを読出して表示するようにしてもよい。またはＢＭＬから取得した番組に関するアイコンを表示してもよい。またはチャンネル一覧を表示するようにしてもよい。さらには、携帯電話１００の他の機能を選択するための画像を表示できるとしてもよい。
【０１１８】
また、テレビ画面の場合には、チューニング中の報知画面としてＴＶ放送信号により直前まで表示されていた静止画を表示するようにしてもよい。同様に、ラジオ画面の場合には、チューニング中の報知画面としてラジオ放送信号により直前まで表示されていた静止画のラジオ画面を表示するようにしてもよい。なお、このような静止画の表示は、タイマ部１９により計時された所定期間である短期に留めて、それでもなお受信ができない時には、メッセージ１５４を表示する上述のような画面に切換えるようにしてもよい。
【０１１９】
ここでは、入出力制御部１４は、ＴＶ放送信号を受信中に、ＴＶ放送信号を受信できない（映像制御部１３からデコードされた信号が出力されない）状態を検出すると、タイマ部１９から出力される計時データに基づき受信できない状態の継続期間を計時する。そして、検出する継続期間が記憶部１８から読出したデータが指す所定時間を超えたことを検出すると、上述のように表示部１５にテレビ画面である待受け画面から他のデータに基づく画像の表示に切換えるとしてもよい。なお、この所定期間は、記憶部１８に固定値のデータで格納されてよく、または、ユーザがキー操作部２１を操作して予め可変に設定して、設定された所定時間データは記憶部１８に格納されるとしてもよい。
【０１２０】
図１３（Ａ）と（Ｂ）は放送信号の受信状況に応じた表示画面の切換え処理手順を示す図である。図１３（Ａ）においては、クラムシェルが閉じた状態における処理（ステップＳ３およびＳ５）が前述と同様に行なわれている。
【０１２１】
ＣＰＵ１７によりクラムシェルを開いた状態に遷移したことが検知されると、図１３（Ｂ）の処理が開始される。まず、入出力制御部１４は、ＣＰＵ１７からの通知により開いた状態になったことの検知信号を入力すると、デコード可否判定部３４の機能を用いて、デコード可能かを検知する（ステップＳ５４ａ）。デコード可能であると判断された場合には（ステップＳ５４ａでＹＥＳ）、処理は後述のステップＳ６１に移行する。
【０１２２】
デコード可否判定部３４がデコード可能であると判断しなかった場合には（ステップＳ５４ａでＮＯ）、入出力制御部１４はタイマ部１９から入力する計時データに基づき所定時間の計測を開始する（ステップＳ５４ｂ）。その後、計時データと記憶部１８から読出した所定時間のデータとを比較し、比較結果に基づき計時開始してから所定時間が経過したかを検知する（ステップＳ５５）。所定時間が経過したことを検知すると（ステップＳ５５でＹＥＳ）、入出力制御部１４は記憶部１８から所定データを読出し、読出した所定データに基づくチューニング中の報知画面を表示部１５に表示し（ステップＳ５７）、処理はステップＳ５９に移行する。
【０１２３】
所定時間が経過していないことを検知すると（ステップＳ５５でＮＯ）、デコード可否判定部３４により再度デコード可能か否かを検知する（ステップＳ５９）。デコード可能であると判定されなければ（ステップＳ５９でＮＯ）、ステップＳ５５の処理に戻り、以降の処理が同様に繰返される。一方、デコード可否判定部３４により、デコード可能であると検知された場合には（ステップＳ５９でＹＥＳ）、処理はステップＳ６１に移行する。
【０１２４】
ステップＳ６１では、入出力制御部１４は映像制御部１３から入力するＴＶ放送信号に基づくテレビ画面を待受け画面として表示部１５に表示する。
【０１２５】
したがって、開いた状態になってから所定時間経過してもなおデコード可能と判断されない場合には、表示部１５にはテレビ画面ではなくチューニング中であることを報知するための所定データに基づく画面を表示することができる。
【０１２６】
（実施の形態３）
上述した携帯電話１００の形態は、クラムシェル型に限定されない。たとえば、スライド可能に一体的に接続される２つの筐体を、互いにスライドさせることでキー操作部２１が表に出現するようなスライド型であってもよい。
【０１２７】
クラムシェル型では開いた状態となったときにテレビ画面が表示されるとしているが、スライド型では、図１４に示されるように、電源ＯＮされて起動された後は、待受け画面としてテレビ画面またはラジオ画面が表示される。受信中のＴＶ放送によるテレビ画面が表示されているとき、ユーザが他のアプリケーション機能を起動させるためにキー操作部２１の所定キー（たとえば決定キー３８）を操作すると、メインメニュー画像がテレビ画像に重畳して表示される。このとき、メインメニュー画像は所定キーを操作したときにテレビ画面に重畳して表示されてもよいし、２つの筐体を互いにスライドさせることでテレビ画面に重畳して表示されてもよい。スライド型の携帯電話１００であっても、他の機能はクラムシェル型の前述した携帯電話１００と同様である。また、サイクロイド型の携帯電話１００に適用することもできる。
【０１２８】
（表示画面の遷移）
図１５には、本発明の各実施の形態に係る表示部１５における画面の切換と、これを切換えるためのキー操作とが関連付けて、状態を遷移させる形式として記載されている。まず、待受け画面（テレビ画面またはラジオ画面）６０が表示されているとき、何らかのキー操作が行なわれるとメニュー画像６１がその待受け画面上に重畳して表示される。その状態においてさらに何らかのキー操作（電源キー操作を除く）がされると、待受け画面（メニュー画像）は消去されて操作されたキーに応じたアプリケーションのための画面６２の表示に切換えられる。画面６２の表示中において、キー操作部２１のクリアキー４１が操作されるとメニュー画像がテレビ画面に重畳表示されるメニュー画面６１の表示に切換されて、更にクリアキー４１が操作されるとメニュー画面６１から待受け画面６０に切換え表示される。
【０１２９】
また、表示部１５にアプリケーション画面が表示中において、電源キー３６が操作されると、待受け画面６０の表示に切換えられる。また、メニュー画面６１が表示されている状態において電源キー３６が操作されると、メニュー画面６１は消去されて待受け画面が表示される。
【０１３０】
以上のように、待受け画面６０は、いかなる画面の表示中においてもユーザが電源キー３６を操作したときに遷移する画面のことを言う。
【０１３１】
（実施の形態４）
以上説明した処理フローチャートを含む処理機能は、プログラムで実現される。本実施の形態では、このプログラムはＣＰＵ１７により読取可能な記録媒体に格納される。
【０１３２】
本実施の形態では、この記録媒体として、記憶部１８を構成するＲＯＭ（Read Only Memory）またはＲＡＭ（Random Access Memory）であってもよく、また外部記憶装置として外部Ｉ／Ｆ２４のプログラム読取装置が設けられ、そこに記録媒体２５である、たとえば、ＣＤ（Compact Disc）−ＲＯＭが挿入されることで読取可能なプログラムメディアであってもよい。
【０１３３】
記録媒体としては、磁気テープやカセットテープなどのテープ系、フレキシブルディスクやハードディスクなどの磁気ディスクやＣＤ−ＲＯＭ／ＭＯ（Magnetic Optical Disc）／ＭＤ（Mini Disc）／ＤＶＤ（Digital Versatile  Disc）などの光ディスクのディスク系、ＩＣカード（メモリカードを含む）／光カードなどのカード系、あるいはマスクＲＯＭ、ＥＰＲＯＭ（Erasable and Programmable  ＲＯＭ）、ＥＥＰＲＯＭ(Electrically  ＥＰＲＯＭ)、フラッシュＲＯＭなどによる半導体メモリであってもよい。
【０１３４】
また、本実施の形態においては、インターネットを含む通信ネットワークとデータ送受信部１６を介して接続可能な構成が採用されているから、これら通信ネットワークからプログラムがダウンロードされるような媒体であってもよい。
【０１３５】
なお記録媒体に格納されている内容としてはプログラムに限定されず、データであってもよい。
【０１３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３７】
【図１】この発明の各実施の形態に係る携帯電話のハードウェア構成図である。
【図２】この発明の各実施の形態に係る携帯電話の概略機能構成図である。
【図３】この発明の各実施の形態に係る携帯電話の詳細機能構成図である。
【図４】（Ａ）と（Ｂ）は、この発明の実施の形態に係る携帯電話の開閉状態を説明する図である。
【図５】（Ａ）と（Ｂ）は、この発明の実施の形態１に係る表示の一例を示す図である。
【図６】（Ａ）と（Ｂ）は、この発明の実施の形態１に係る表示の他の例を示す図である。
【図７】（Ａ）と（Ｂ）は、この発明の実施の形態１に係る表示の更なる他の例を示す図である。
【図８】（Ａ）と（Ｂ）は、この発明の実施の形態１に係る開閉状態に応じた処理フローチャートである。
【図９】この発明の実施の形態１に係るアイコン消去時の処理フローチャートである。
【図１０】この発明の実施の形態１に係るサスペンドの処理フローチャートである。
【図１１】（Ａ）と（Ｂ）は、この発明の実施の形態２に係る表示の更なる他の例を示す図である。
【図１２】（Ａ）と（Ｂ）は、この発明の実施の形態２に係る表示の更なる他の例を示す図である。
【図１３】（Ａ）と（Ｂ）は、この発明の実施の形態２に係るタイマ機能を利用した処理フローチャートである。
【図１４】この発明の実施の形態３に係る表示の更なる他の例を示す図である。
【図１５】この発明の各実施の形態に係る外部操作に応じた表示画面の切換えを模式的に示す図である。
【図１６】（Ａ）と（Ｂ）は従来の表示の一例を示す図である。
【図１７】（Ａ）と（Ｂ）は従来の表示の他の例を示す図である。
【符号の説明】
【０１３８】
１００  携帯電話、４  デジタル放送受信部、８  デジタルラジオ受信部、１４  入出力制御部、１５  表示部、１７  ＣＰＵ、２１  キー操作部、３４  デコード可否判定部、６７  開閉センサ、１１１  番組付加情報。
【図１】
2008270882.tif 000003
【図２】
2008270882.tif 000004
【図３】
2008270882.tif 000005
【図４】
2008270882.tif 000006
【図５】
2008270882.tif 000007
【図６】
2008270882.tif 000008
【図７】
2008270882.tif 000009
【図８】
2008270882.tif 000010
【図９】
2008270882.tif 000011
【図１０】
2008270882.tif 000012
【図１１】
2008270882.tif 000013
【図１２】
2008270882.tif 000014
【図１３】
2008270882.tif 000015
【図１４】
2008270882.tif 000016
【図１５】
2008270882.tif 000017
【図１６】
2008270882.tif 000018
【図１７】
2008270882.tif 000019